(57)【特許請求の範囲】
【請求項１】
第１部材（Ｓ，Ｗ）に結合されるフック（Ｆ）と，このフック（Ｆ）を係合させる係合孔（Ｈ）を有して第２部材（Ｓ，Ｃ，Ｗ′）に結合される受け具（Ｕ）とよりなり，フック（Ｆ）は，第１部材（Ｓ，Ｗ）に連なる基部（Ｆａ）と，その基部（Ｆａ）に反転部（Ｆｂ）を介して一体に連なり該基部（Ｆａ）とは逆向きに延びる先部（Ｆｃ）とを備えて鉤状に形成される連結具において，
フック（Ｆ）と係合孔（Ｈ）は，受け具（Ｕ）に対してフック（Ｆ）を正規の係合姿勢より所定角度相対回動させた特定姿勢でフック（Ｆ）の先部（Ｆｃ）を係合孔（Ｈ）に対し抜差し得るように形成され，係合孔（Ｈ）と，これに係合させたフック（Ｆ）の反転部（Ｆｂ）との間には，その相互間を所定方向に相対摺動させる遊隙（ｘ）が設けられ，係合孔（Ｈ）の，前記所定方向に沿う内側面にガイド溝（Ｈｇ）が凹設され，そのガイド溝（Ｈｇ）との嵌合により前記抜差を案内するガイド突起（Ｇ）がフック（Ｆ）の先部（Ｆｃ）周面に形成されることを特徴とする連結具。
【請求項２】
前記所定方向は，前記フック（Ｆ）と受け具（Ｕ）との配列方向と略直交する方向に設定され，その設定方向に沿う前記係合孔（Ｈ）の内側面の略中央に前記ガイド溝（Ｈｇ）が形成されることを特徴とする，請求項１に記載の連結具。
【請求項３】
前記所定方向は，前記フック（Ｆ）と受け具（Ｕ）との配列方向に設定され，その設定方向に沿う前記係合孔（Ｈ）の内側面には前記フック（Ｆ）から離れる側に偏位して前記ガイド溝（Ｈｇ）が形成されることを特徴とする，請求項１に記載の連結具。
【請求項４】
前記第１及び第２部材（Ｓ，Ｓ）は各々シート材又は板材より形成され，その両部材（Ｓ，Ｓ）の相互に隣り合う端縁部（１，１）には前記フック（Ｆ）及び受け具（Ｕ）が，該端縁部（１，１）の各一面側だけに露出し且つ該端縁部（１，１）の外端より外方に食み出さないように接合され，前記第２部材（Ｓ）の前記端縁部（１）は，その自由端側が対応する前記受け具（Ｕ）の係合孔（Ｈ）周辺部より捲れるように構成され，その捲れにより，該係合孔（Ｈ）に対して前記フック（Ｆ）の先部（Ｆｃ）を抜差可能としたことを特徴とする，請求項１，２又は３に記載の連結具。
【発明の詳細な説明】
【０００１】
【発明の属する技術分野】
本発明は，互いに隣接配置される第１部材及び第２部材間を簡単に係脱可能とするための連結具に関するものである。
【０００２】
【従来の技術】
従来，第１部材に結合されるフックと，このフックを係合させる係合孔を有して第２部材に結合される受け具とよりなり，フックは，第１部材に連なる基部と，その基部に反転部を介して一体に連なり該基部とは逆向きに延びる先部とを備えて鉤状に形成される連結具は，既に広く知られている。
【０００３】
【発明が解決しようとする課題】
上記従来の連結具においては，互いに係合状態にあるフックと受け具とがその両者の相対姿勢変化によって簡単に外れてしまうことがあった。そこでフック又は受け具に外れ防止のためのロック機構を設けることが考えられるが，その場合には，ロック機構の特設により，それだけ構造が複雑化しコストが嵩むばかりか，ロック機構の取り扱い操作が面倒になる等の別の問題があった。
【０００４】
また，従来では，上記フックや受け具に結合される第１，第２部材としてシート材又は板材が使用される場合に，フックや受け具の一部がシート材又は板材の両面共に露出するように配設されていたので，その露出部分が外観上目障りであるばかりか，シート材又は板材の表面から突き出して使用の邪魔となったり或いは使用者が引っ掛けたり或いは躓いたりする等の問題があった。
【０００５】
本発明は，上記の事情に鑑み提案されたもので，従来の上記問題を解決できる構造簡単な連結具を提供することを目的としている。
【０００６】
【課題を解決するための手段】
前記目的を達成するために，請求項１の発明は，第１部材に結合されるフックと，このフックを係合させる係合孔を有して第２部材に結合される受け具とよりなり，フックは，第１部材に連なる基部と，その基部に反転部を介して一体に連なり該基部とは逆向きに延びる先部とを備えて鉤状に形成される連結具において，フックと係合孔は，受け具に対してフックを正規の係合姿勢より所定角度相対回動させた特定姿勢でフックの先部を係合孔に対し抜差し得るように形成され，係合孔と，これに係合させたフックの反転部との間には，その相互間を所定方向に相対摺動させる遊隙が設けられ，係合孔の，前記所定方向に沿う内側面にガイド溝が凹設され，そのガイド溝との嵌合により前記抜差を案内するガイド突起がフックの先部周面に形成されることを特徴とする。
【０００７】
請求項１の発明の上記特徴によれば，フックを受け具に対して正規の係合姿勢から所定角度回動させた特定姿勢において，ガイド突起がガイド溝を嵌合，通過するようにすれば，該フックを係合孔に難なく係合させることができる。その係合後は，フックを係合孔に対しその遊隙の範囲内で相対摺動させることによってガイド突起がガイド溝との対応位置からずれ動くため，フックが上記特定姿勢に在っても，ガイド突起の係合孔への引っ掛かりによりフックの係合孔に対する抜差が規制されるようになり，これにより，フックと受け具との係合状態が的確に保持され，その係合が妄りに外れる虞れはなくなる。また，その係合を外す場合には，フックを係合孔に対しその遊隙の範囲内で相対摺動させて，ガイド突起をガイド溝との対応位置にくるようにし，その位置でフックを受け具に対し上記特定姿勢となるよう相対回動させ，ガイド突起がガイド溝を嵌合，通過するようにフック先部を係合孔より引き抜けば，フックを係合孔より簡単に離脱させることができる。
【０００８】
また請求項２の発明は，請求項１の発明の上記特徴に加えて，前記所定方向が，前記フックと受け具との配列方向と略直交する方向に設定され，その設定方向に沿う前記係合孔の内側面の略中央に前記ガイド溝が形成されることを特徴としている。この特徴によれば，フックの係合孔への係合後は，フックを係合孔に対しその遊隙の範囲内でその一方側及び他方側の何れに相対摺動させても，ガイド突起がガイド溝との対応位置からずれ動くため，係合孔に対してガイド突起を引っ掛かり易くすることができる。
【０００９】
また請求項３の発明は，請求項１の発明の上記特徴に加えて，前記所定方向が，前記フックと受け具との配列方向に設定され，その設定方向に沿う前記係合孔の内側面には前記フックから離れる側に偏位して前記ガイド溝が形成されることを特徴としている。この特徴によれば，フックの係合孔への係合後において，第１，第２部材間を引き離そうとする荷重により，ガイド突起がガイド溝との対応位置からずれ動く方向（即ちガイド突起が係合孔に引っ掛かる方向）にフックが偏倚されるので，該フックの係合状態がより確実に保持される。
【００１０】
また請求項４の発明は，請求項１，２または３の上記特徴に加えて，前記第１及び第２部材が各々シート材又は板材より形成され，その両部材の相互に隣り合う端縁部には前記フック及び受け具が，該端縁部の各一面側だけに露出し且つ該端縁部の外端より外方に食み出さないように接合され，前記第２部材の前記端縁部は，その自由端側が対応する前記受け具の係合孔周辺部より捲れるように構成され，その捲れにより，該係合孔に対して前記フックの先部を抜差可能としたことを特徴としている。この特徴によれば，フック及び受け具は，これらが各々接合されるシート状又は板状の第１，第２部材の，相互に隣り合う端縁部の各一面側だけに露出し且つ該端縁部の外端より外方に食み出さないように配置されるため，それらフック及び受け具は，これらを第１，第２部材の各裏面側に接合することで体裁よく覆い隠すことが可能となり，しかもこれらフック及び受け具に使用者が引っ掛けたり躓いたりする心配もなくなる。
【００１１】
【発明の実施の形態】
本発明の実施の形態を，添付図面に例示した本発明の実施例に基づいて以下に具体的に説明する。
【００１２】
添付図面において，図１〜図１２は本発明の第１実施例を示すものであって，図１は，第１実施例に係る連結具を用いてレジャー用シートを接続した状態を示す平面図，図２は図１の裏面図，図３は前記シートの単体を示す裏面図，図４は図４の２矢視拡大図，図５は図４の５−５線断面図，図６は図５の６−６線断面図，図７は，連結具の係合解除状態を示す図４対応図，図８は，連結具の係合解除状態を示す斜視図，図９は，連結具の係合手順を示す工程説明図，図１０は，連結具のフックと受け具とがその両者間の遊隙の範囲内で相対移動する状態を示す拡大裏面図，図１１は，前記フックと受け具の変形例を示す斜視図，図１２は，前記フック及び受け具を複数ずつ連ねて蝶番に用いた変形例を示す斜視図である。また，図１３〜図１６は，本発明の第２実施例を示すものであって，図１３は，第２実施例に係る連結具を用いてコンテナをワイヤで吊り上げた状態を示す斜視図，図１４は，フックの側面図及び正面図（側面図のｂ矢視図），図１５は，受け具の正面図，図１６は，第２実施例の変形例を示す斜視図である。
【００１３】
先ず，図１〜図３において，正方形状に各々形成された複数のレジャー用シートＳ…は，可撓性を有するビニール等のプラスチック製シート材より構成され，それらの端縁部１…が相互に隣接するように縦横に敷かれる。隣り合うシートＳ，Ｓの端縁部１，１間は，その間に等間隔おきに配設された本発明の連結具Ｊにより着脱可能に連結される。
【００１４】
図４〜図９も併せて参照して，各連結具Ｊは，第１部材としてのシートＳに結合される金属製のフックＦと，このフックＦを係合させる係合孔Ｈを有し第２部材としてのシートＳに結合される同じく金属製の受け具Ｕとより構成される。このうち，フックＦは，シートＳの裏面に重合され適宜の固着手段（図示例ではリベット２）で固着される比較的広幅の帯板状基部Ｆａと，その基部Ｆａの先細り状の先端部に一体に連なる横断面Ｕ字状の反転部Ｆｂと，この反転部Ｆｂに一体に連なり前記基部Ｆａとは逆向き且つ平行に延びる比較的狭幅の帯板状先部Ｆｃとより全体として概ね鉤状に形成される。
【００１５】
また受け具Ｕは方形の帯板状に形成されており，シートＳの裏面に重合され適宜の固着手段（図示例ではリベット２）で固着される基部Ｕａと，この基部Ｕａに一体に連なり係合孔Ｈを有する先部Ｕｃとより構成される。尚，前記フックＦ及び受け具ＵのシートＳへの各固着手段としては，リベット以外の適当な公知の固着手段，例えば接着，縫着，ネジ止め等の手段が実施可能である。
【００１６】
相隣なるシートＳ，Ｓの相互に隣り合う端縁部１，１には，それら端縁部１，１にそれぞれ接合されるフックＦ及び受け具Ｕが，該端縁部１，１の各一面側（図示例では裏面側）だけに露出し且つ該端縁部１，１の外端より外方に食み出さないように配置されている。
【００１７】
而して前記シートＳの，フック基部Ｆａが接合された端縁部１は，その自由端側が対応するフック基部Ｆａの先端寄り部分より捲れるように構成される。また前記シートＳの，受け具基部Ｕａが接合された端縁部１は，その自由端側が対応する受け具Ｕの先部Ｕｃ（即ち係合孔Ｈ周辺部）より捲れるように構成され，その捲れにより，後述するように係合孔Ｈに対してフック先部Ｆｃを抜差可能としている。
【００１８】
ところでフックＦと受け具Ｕの係合孔Ｈは，受け具Ｕに対してフックＦを同一平面上に並ぶ正規の係合姿勢（図５，図９の（ａ）を参照）より所定角度（図示例では約９０度）相対回動させた特定姿勢（図９の（ｂ）を参照）でフックＦの先部Ｆｃを係合孔Ｈに対し抜差し得るように形成されている。
【００１９】
そのフックＦの先部Ｆｃの外周面には，係合孔Ｈに形成した横断面半円弧状のガイド溝Ｈｇに摺動可能に嵌合して前記抜差を案内する横断面半円弧状のガイド突起Ｇが形成され，係合孔Ｈと，これに係合させたフックＦの反転部Ｆｂとの間には，その両者を所定方向に相対摺動させる遊隙ｘが設けられる。この遊隙ｘは，図示例ではフックＦと受け具Ｕとの配列方向と直交する方向に設定され，そのために係合孔Ｈは，フック反転部Ｆｂの幅よりも多少長い長方形状の長孔に形成される。前記遊隙ｘの設定方向（前記配列方向と直交する方向）に沿う係合孔Ｈの内側面には，その長手方向略中央に前記ガイド溝Ｈｇが凹設される。
【００２０】
次に前記第１実施例の作用を説明する。フックＦを受け具Ｕに係合させるに際しては，フックＦを受け具Ｕに対して正規の係合姿勢（図５，図９の（ａ））から約９０度回動させた特定姿勢（図９の（ｂ））とした上で，ガイド突起Ｇをガイド溝Ｈｇに合致させて該突起Ｇがガイド溝Ｈｇを嵌合，通過するようにし，これにより，フックＦを受け具Ｕの係合孔Ｈに難なく係合させることができる。
【００２１】
その係合後は，フックＦを受け具Ｕに対して図９（ｃ）に示すように前記正規の係合姿勢まで相対回動させ，更にフックＦを係合孔Ｈｇに対し前記遊隙ｘの範囲内でその一方側又は他方側の何れかに相対摺動させることによってガイド突起Ｇをガイド溝Ｈｇとの対応位置（図１０の鎖線位置Ａ）から図１０の実線に示すように適宜ずれ動かす。この状態では，フックＦが上記特定姿勢に在っても，ガイド突起Ｇの係合孔Ｈへの引っ掛かりによりフックＦの係合孔Ｈに対する抜差が阻止されるため，フックＦと受け具Ｕとの係合状態が的確に保持され，その係合が妄りに外れる虞れはなくなる。
【００２２】
かくして，隣り合うシートＳ，Ｓの隣接端部１，１間が連結具Ｊを以て的確に連結される。またその連結具Ｊは，対応するシートＳの端縁部１により体裁よく覆われ，しかも隣り合うシートＳ，Ｓの隣接端縁部１，１は，図１，図４に示すように互いに重なり合っているため，その一部の端縁部１の自由端が多少捲れても地面が露出する等の問題は生じない。
【００２３】
また，前記係合を外す場合には，フックＦを係合孔Ｈに対しその遊隙ｘの範囲内で相対摺動させて，ガイド突起Ｇをガイド溝Ｈｇとの対応位置（図１０の鎖線位置Ａ）にくるようにする。そして，その位置でフックＦを受け具Ｕに対し上記特定姿勢となるよう相対回動させ，ガイド突起Ｇがガイド溝Ｈｇを嵌合，通過するようにして，フック先部Ｆｃを係合孔Ｈより引き抜けば，フックＦを係合孔Ｈより簡単に離脱させることができる。
【００２４】
また，図示例では，相隣なるシートＳ，Ｓの相互に隣り合う端縁部１，１にフックＦ及び受け具Ｕが，該端縁部１，１の各裏面側だけに露出し且つ該端縁部１，１の外端より外方に食み出さないように配置されている。このため，それらフックＦ及び受け具Ｕは，これらを対応するシートＳ，Ｓの端縁部１，１で体裁よく覆い隠すことができ，しかもこれらフックＦ及び受け具ＵがシートＳ，Ｓの表側に突出することがないため，そのフックＦ等に使用者が引っ掛けたり躓いたりする心配もない。
【００２５】
その上，シートＳの，受け具基部Ｕａが接合された端縁部１は，その自由端側が対応する受け具Ｕの先部Ｕｃ（即ち係合孔Ｈ周辺部）より離れるように捲り上げ（撓み変形）可能であるため，この捲り上げにより，図９の（ｂ）に示すように係合孔Ｈに対するフック先部Ｆｃの前記抜差が無理なく許容される。
【００２６】
ところでガイド突起Ｇ及びガイド溝Ｈｇは，前記第１実施例では横断面半円弧状としたが，本発明では，種々の横断面形状を選定可能であり，たとえば，図１１に示すように横断面Ｖ字状（ａ），或いは横断面方形溝状（ｂ）に形成してもよい。
【００２７】
また第１実施例では，各一個ずつのペアからなる受け具Ｕ及びフックＦで連結具Ｊを構成したものを示したが，本発明では，図１２に示すように各複数の受け具Ｕ及びフックＦを一体に連ねて多連の連結具Ｊを構成してもよく，このような多連の連結具Ｊは，本来の連結具として使用可能であるばかりか，これを蝶番としても使用可能である。この場合，多連の連結具Ｊにおける多連の受け具Ｕの係合孔Ｈは，図１２（ａ）のように各独立させてもよいし，同（ｂ）のように一連に連続させてもよい。
【００２８】
図１３には，本発明の第２実施例が示されている。この実施例では，第１の部材としてのワイヤＷにフックＦの基部Ｆａが結合され，また第２の部材としてのコンテナＣの外壁に受け具Ｕの基部Ｕａが結合される。
【００２９】
この実施例では，フックＦが，棒材を折り曲げて鉤状に構成される点で、第１実施例のように板材を折り曲げて鉤状に構成したものと相違している。また特にこの第２実施例では，フックＦの反転部Ｆｂと受け具Ｕの係合孔Ｕａとの間の遊隙ｘは，フックＦと受け具Ｕとの配列方向（図１３で上下方向）に設定され，その設定方向に長孔とされた前記係合孔Ｈの，長手方向に沿う内側面には，フックＦから離れる側（図示例では下側）に偏位してガイド溝Ｈｇが凹設される。
【００３０】
この第２実施例においても第１実施例と基本的に同様の作用効果が達成される。更にフックＦの係合孔Ｈへの係合後において，第１，第２部材Ｗ，Ｃ間を引き離そうとする引張荷重により，ガイド突起Ｇがガイド溝Ｈｇとの対応位置Ａ（図１５の鎖線位置）からずれ動く方向（即ちガイド突起Ｇが係合孔Ｈに引っ掛かる上方向）にフックＦが偏倚されるので，該フックＦと受け具Ｕとの係合状態がより確実に保持される。
【００３１】
以上，本発明の実施例を詳述したが，本発明は前記実施例に限定されるものでなく，種々の設計変更を行うことができる。
【００３２】
例えば，第１実施例では，本発明の連結具を用いて，隣り合う複数のレジャー用シート相互間を連結するものを示したが，本発明の連結具は，レジャー用シート以外の種々の敷物用シート材相互の連結や，建築足場や屋根等を覆う建築現場用シート材相互の連結に適用してもよい。さらに種々の用途に用いられる板材相互の連結に適用してもよく、この場合、板材としては、例えば鋼板、木板、ダンボール紙等の紙板、プラスチック板等が用いられる。
【００３３】
また、前記各実施例では、フックＦ及び受け具Ｕの構成材料として鉄、アルミ等の金属が選択されたが、本発明では、金属以外の適宜材料、例えばプラスチック材を使用してもよい。
【００３４】
また、第２実施例では，本発明の連結具Ｊを用いて，コンテナＣをワイヤＷで吊持するものを示したが，本発明の連結具は，コンテナ以外の部材にワイヤを係止する場合にも適用可能である。更に図１６に例示したように，ワイヤＷ，Ｗ′相互の連結にも適用可能であり，この場合は，第２実施例と異なり，フックＦばかりか受け具Ｕの基部ＵａにもワイヤＷ′の結合部が設けられる。
【００３５】
また第１実施例では，各シートＳの直交する二辺の端縁部１，１に複数のフックＦ…を並設し，他方の二辺の端縁部１，１に複数の受け具Ｕ…を並設したものを示したが，本発明では，各シートＳの互いに平行な二辺の端縁部１，１に複数のフックＦ…を並設し，他方の二辺の端縁部１，１に複数の受け具Ｕ…を並設してもよく，更に各シートＳの各端縁部１にフックＦと受け具Ｕを交互に並設させてもよい。
【００３６】
【発明の効果】
以上のように本発明によれば，フックを受け具に対し正規の係合姿勢から所定角度回動させた特定姿勢において，ガイド突起がガイド溝を嵌合，通過するようにすれば，該フックの係合孔への係合が難なく許容され，また，その係合後は，フックを係合孔に対しその遊隙の範囲内で相対摺動させることによりガイド突起がガイド溝との対応位置からずれ動くため，フックが上記特定姿勢に在っても，ガイド突起の係合孔への引っ掛かりにより該フックの係合孔に対する抜差が規制される。これにより，フックと受け具との係脱操作を容易且つ迅速に行うことができるばかりか，その係合状態を的確に保持することができ，しかも，フックを特定姿勢で受け具の係合孔に抜差する際の案内手段となるガイド突起を，フックの係合孔からの外れ防止手段に兼用できるから，その外れ防止のために特別にロック機構を設ける必要はなくなり，それだけ構造簡素化が図られてコスト節減に寄与することができる。
【００３７】
また特に請求項２の発明によれば，フックの係合孔への係合後は，フックを係合孔に対しその遊隙の範囲内でその一方側及び他方側の何れに相対摺動させても，ガイド突起がガイド溝との対応位置からずれ動くので，係合孔に対しガイド突起を引っ掛かり易くすることができる。
【００３８】
また特に請求項３の発明によれば，フックの係合孔への係合後において，第１，第２部材間を引き離そうとする荷重により，ガイド突起がガイド溝との対応位置からずれ動く方向（即ちガイド突起が係合孔に引っ掛かる方向）にフックが偏倚されるので，該フックの係合状態がより確実に保持される。
【００３９】
また特に請求項４の発明によれば，フック及び受け具は，これらが各々接合されるシート状又は板状の第１，第２部材の，相互に隣り合う端縁部の各一面側だけに露出し且つ該端縁部の外端より外方に食み出さないように配置されているため，それらフック及び受け具は，これらを第１，第２部材の各裏面側に接合することで体裁よく覆い隠すことが可能となり，しかもこれらフック及び受け具に使用者が引っ掛けたり躓いたりする心配もなくなる。
【図面の簡単な説明】
【図１】本発明の第１実施例に係る連結具を用いてレジャー用シートを接続した状態を示す平面図
【図２】図１の裏面図
【図３】前記シートの単体を示す裏面図
【図４】図４の２矢視拡大図
【図５】図４の５−５線断面図
【図６】図５の６−６線断面図
【図７】連結具の係合解除状態を示す図４対応図
【図８】連結具の係合解除状態を示す斜視図
【図９】連結具の係合手順を示す工程説明図
【図１０】連結具のフックと受け具とがその両者間の遊隙の範囲内で相対移動する状態を示す拡大裏面図
【図１１】前記フックと受け具の変形例を示す斜視図
【図１２】前記フック及び受け具を複数ずつ連ねて蝶番に用いた変形例を示す斜視図
【図１３】本発明の第２実施例に係る連結具を用いてコンテナをワイヤで吊り上げた状態を示す斜視図
【図１４】第２実施例のフックの側面図及び正面図（側面図のｂ矢視図）
【図１５】第２実施例の受け具の正面図
【図１６】第２実施例の変形例を示す斜視図
【符号の説明】
Ｃ    コンテナ（第２部材）
Ｆ    フック
Ｆａ  基部
Ｆｂ  反転部
Ｆｃ  先部
Ｇ    ガイド突起
Ｈ    係合孔
Ｈｇ  ガイド溝
Ｊ    連結具
Ｓ    シート（第１部材，第２部材）
Ｕ    受け具
Ｗ    ワイヤ（第１部材）
Ｗ′  ワイヤ（第２部材）
ｘ    遊隙
１    端縁部
【図１】
0003845330.tif 000002
【図２】
0003845330.tif 000003
【図３】
0003845330.tif 000004
【図４】
0003845330.tif 000005
【図５】
0003845330.tif 000006
【図６】
0003845330.tif 000007
【図７】
0003845330.tif 000008
【図８】
0003845330.tif 000009
【図９】
0003845330.tif 000010
【図１０】
0003845330.tif 000011
【図１１】
0003845330.tif 000012
【図１２】
0003845330.tif 000013
【図１３】
0003845330.tif 000014
【図１４】
0003845330.tif 000015
【図１５】
0003845330.tif 000016
【図１６】
0003845330.tif 000017